(57)【要約】【課題】液体試料の流れを制御することができると共にコストを低減することができる液体制御機構、該液体制御機構を備えた光スイッチバイオセンサ及び光スイッチポンプ部品を提供する。【解決手段】流体制御機構１は、主として、紫外線を透過し、微細加工が可能な板状チップ２と、板状チップ２上に形成され、光触媒機能を有する酸化チタンを主成分とする光触媒層７と、光触媒層７上に形成され、シリカを主成分とする親水維持層８とを備える。光触媒層７と親水維持層８とはコーティング層３を構成する。親水維持層８の上には液体試料４が配置される。流体制御機構１は、さらに、コーティング層３の対向位置において、コーティング層３に紫外線５を照射する紫外線ランプ６を備える。光触媒層７は、もともと疎水性であるが、紫外線ランプ６により照射された紫外線によって親水化する。【選択図】　　　図１
2004125475.tif 000002
【特許請求の範囲】
【請求項１】
基体と、前記基体上に形成された光触媒層、及び前記光触媒層の上に形成された親水維持層を有するコーティング層と、前記コーティング層の一部のみに紫外線を照射する紫外線照射装置とを備えることを特徴とする液体制御機構。
【請求項２】
前記光触媒層及び前記親水維持層は、夫々一定の厚さであることを特徴とする請求項１記載の液体制御機構。
【請求項３】
前記光触媒層の厚さが前記紫外線の照射側に向かって漸増し、前記親水維持層の厚さが前記紫外線の照射側に向かって漸減していることを特徴とする請求項１記載の液体制御機構。
【請求項４】
基体と、前記基体上に形成された光触媒層及び親水維持層を有するコーティング層と、前記光触媒層のみに紫外線を照射する紫外線照射装置と備えることを特徴とする液体制御機構。
【請求項５】
前記光触媒層及び前記親水維持層は、夫々一定の厚さであることを特徴とする請求項４記載の液体制御機構。
【請求項６】
前記光触媒層の厚さが前記紫外線の照射側に向かって漸増し、前記親水維持層の厚さが前記紫外線の照射側に向かって漸減していることを特徴とする請求項４記載の液体制御機構。
【請求項７】
前記基体が前記紫外線を透過する窓材から成ることを特徴とする請求項１乃至６のいずれか１項に記載の液体制御機構。
【請求項８】
前記窓材はガラス製であることを特徴とする請求項７記載の液体制御機構。
【請求項９】
前記窓材はプラスティック製であることを特徴とする請求項７記載の液体制御機構。
【請求項１０】
前記光触媒層は、酸化チタンを主成分とすることを特徴とする請求項１乃至９のいずれか１項に記載の液体制御機構。
【請求項１１】
前記親水維持層は、シリカを主成分とすることを特徴とする請求項１乃至１０のいずれか１項に記載の液体制御機構。
【請求項１２】
請求項１乃至１１のいずれか１項に記載の液体制御機構を備える光スイッチバイオセンサであって、前記基体は板状チップであることを特徴とする光スイッチバイオセンサ。
【請求項１３】
請求項１乃至１１のいずれか１項に記載の液体制御機構を備える光スイッチポンプ部品であって、前記基体はファイバであることを特徴とする光スイッチポンプ部品。
【請求項１４】
請求項１乃至１１のいずれか１項に記載の液体制御機構を備える光スイッチポンプ部品であって、前記基体はファイバの集合体であることを特徴とする光スイッチポンプ部品。
【請求項１５】
前記ファイバは、前記コーティング層が外周表面に形成されていることを特徴とする請求項１３又は１４記載の光スイッチポンプ部品。
【請求項１６】
前記ファイバは、中空部を有する中空ファイバであることを特徴とする請求項１３乃至１５のいずれか１項に記載の光スイッチポンプ部品。
【請求項１７】
前記コーティング層は、前記中空部の内側面に形成されていることを特徴とする請求項１６記載の光スイッチポンプ部品。
【請求項１８】
請求項１乃至１１のいずれか１項に記載の液体制御機構を備える光スイッチポンプ部品であって、前記基体は中空部を有するチューブであることを特徴とする光スイッチポンプ部品。
【請求項１９】
前記コーティング層は、前記中空部の内側面に形成されていることを特徴とする請求項１８記載の光スイッチポンプ部品。
【請求項２０】
請求項１乃至１１のいずれか１項に記載の液体制御機構を備える光スイッチポンプ部品であって、前記基体はニードルであることを特徴とする光スイッチポンプ部品。
【請求項２１】
前記ニードルは、中空部を有する中空ニードルであることを特徴とする請求項２０記載の光スイッチポンプ部品。
【請求項２２】
前記コーティング層は、前記中空部の内側面に形成されていることを特徴とする請求項２１記載の光スイッチポンプ部品。
【発明の詳細な説明】
【０００１】
【発明の属する技術分野】
本発明は、液体制御機構、該液体制御機構を備えた光スイッチバイオセンサ及び光スイッチポンプ部品に関する。
【０００２】
【従来の技術】
近年、バイオセンサは、半導体微細加工技術を応用したマイクロマシン技術により製作され、例えば血液や体液等の液体試料に含まれる成分の測定を行うのに用いられる。このバイオセンサは、採取した血液や体液等の液体試料内に含まれた特定の成分を測定する検出部流路を有する。この検出部流路では、その表面を液体試料を連続流として、通過させている間に特定の成分の測定が行われる。
【０００３】
上記バイオセンサでは、少ない液体試料で正確な測定を行うために、検出部流路内において、液体試料の流れを正確に制御することが必要であり、液体試料を検出部流路内で滞ることなくスムーズに流すべく、検出部流路内壁に光触媒機能を有する光触媒層を形成し、この光触媒層に紫外線を照射することによってその表面を親水化させた光スイッチバイオセンサ（例えば、特許文献１参照）や、光触媒層への紫外線の照射量を変化させることにより、液体試料の流れを制御する光スイッチバイオセンサ（例えば、特許文献２参照）がすでに開示されている。
【０００４】
【特許文献１】
特開２００２−１７４６１０号公報
【特許文献２】
特開２００２−２１４２４３号公報
【０００５】
【発明が解決しようとする課題】
しかしながら、上記光スイッチバイオセンサは、光触媒層全体に亘って紫外線を照射しないと、光触媒層において疎水性が偏在し、液体試料が検出部流路内で滞ってスムーズに流れない。さらに、液体試料の流れを制御するためには、検出部流路の内壁に形成された光触媒層に照射する紫外線の光量を変化させる必要があり、コスト高となる。
【０００６】
本発明は、液体試料の流れを制御することができると共にコストを低減することができる液体制御機構と該液体制御機構を備えた光スイッチバイオセンサ及び光スイッチポンプ部品を提供することにある。
【０００７】
【課題を解決するための手段】
上述の目的を達成するために、請求項１記載の液体制御機構は、基体と、前記基体上に形成された光触媒層、及び前記光触媒層の上に形成された親水維持層を有するコーティング層と、前記コーティング層の一部のみに紫外線を照射する紫外線照射装置とを備えることを特徴とする。
【０００８】
請求項１記載の液体制御機構によれば、親水維持層が光触媒層の上に形成され、紫外線照射装置がコーティング層の一部のみに紫外線を照射するので、コーティング層の表面を親水性に維持できると共に紫外線照射の光量を変化させることなくコーティング層の一部をより親水化することができ、もって液体試料の流れを制御することができると共にコストを低減することができる。
【０００９】
請求項２記載の液体制御機構は、請求項１記載の液体制御機構において、前記光触媒層及び前記親水維持層は、夫々一定の厚さであることを特徴とする。
【００１０】
請求項２記載の液体制御機構によれば、光触媒層及び親水維持層は、夫々一定の厚さであるので、液体制御機構を備える製品を容易に製造することができる。
【００１１】
請求項３記載の液体制御機構は、請求項１記載の液体制御機構において、前記光触媒層の厚さが前記紫外線の照射側に向かって漸増し、前記親水維持層の厚さが前記紫外線の照射側に向かって漸減していることを特徴とする。
【００１２】
請求項３記載の液体制御機構によれば、光触媒層の厚さが紫外線の照射側に向かって漸増し、親水維持層の厚さが紫外線の照射側に向かって漸減しているので、請求項１の効果をさらに確実に奏することができる。
【００１３】
上述の目的を達成するために、請求項４記載の液体制御機構は、基体と、前記基体上に形成された光触媒層及び親水維持層を有するコーティング層と、前記光触媒層のみに紫外線を照射する紫外線照射装置と備えることを特徴とする。
【００１４】
請求項４記載の液体制御機構によれば、紫外線照射装置が光触媒層のみに紫外線を照射するので、コーティング層の表面を親水性に維持できると共に紫外線照射の光量を変化させることなく光触媒層のみをより親水化することができ、もって液体試料の流れを制御することができると共にコストを低減することができる。
【００１５】
請求項５記載の液体制御機構は、請求項４記載の液体制御機構において、前記光触媒層及び前記親水維持層は、夫々一定の厚さであることを特徴とする。
【００１６】
請求項５記載の液体制御機構によれば、光触媒層及び親水維持層は、夫々一定の厚さであるので、液体制御機構を備える製品を容易に製造することができる。
【００１７】
請求項６記載の液体制御機構は、請求項４記載の液体制御機構において、前記光触媒層の厚さが前記紫外線の照射側に向かって漸増し、前記親水維持層の厚さが前記紫外線の照射側に向かって漸減していることを特徴とする。
【００１８】
請求項６記載の液体制御機構によれば、光触媒層の厚さが紫外線の照射側に向かって漸増し、親水維持層の厚さが紫外線の照射側に向かって漸減しているので、請求項１の効果をさらに確実に奏することができる。
【００１９】
請求項７記載の液体制御機構は、請求項１乃至６のいずれか１項に記載の液体制御機構において、前記基体が前記紫外線を透過する窓材から成ることを特徴とする。
【００２０】
請求項７記載の液体制御機構によれば、基体が紫外線を透過する窓材から成るので、紫外線を照射する方向を自由に選択することができる。
【００２１】
請求項８記載の液体制御機構は、請求項７記載の液体制御機構において、前記窓材は、ガラス製であることを特徴とする。
【００２２】
請求項９記載の液体制御機構は、請求項７記載の液体制御機構において、前記窓材は、プラスティック製であることを特徴とする。
【００２３】
請求項１０記載の液体制御機構は、請求項１乃至９のいずれか１項に記載の液体制御機構において、前記光触媒層は、酸化チタンを主成分とすることを特徴とする。
【００２４】
請求項１１記載の液体制御機構は、請求項１乃至１０のいずれか１項に記載の液体制御機構において、前記親水維持層は、シリカを主成分とすることを特徴とする。
【００２５】
請求項１２記載の光スイッチバイオセンサは、請求項１乃至１１のいずれか１項に記載の液体制御機構を備える光スイッチバイオセンサであって、前記基体は板状チップであることを特徴とする。
【００２６】
請求項１２記載の光スイッチバイオセンサによれば、液体制御機構の基体は板状チップであるので、液体試料を展開させて延ばすことができ、もって液体試料の検査を容易に行うことができる。
【００２７】
請求項１３記載の光スイッチポンプ部品は、請求項１乃至１１のいずれか１項に記載の液体制御機構を備える光スイッチポンプ部品であって、前記基体はファイバであることを特徴とする。
【００２８】
請求項１３記載の光スイッチポンプ部品によれば、液体制御機構の基体はファイバであるので、液体試料を容易に吸い上げることができ、もって検体を簡単に採取できる。
【００２９】
請求項１４記載の光スイッチポンプ部品は、請求項１乃至１１のいずれか１項に記載の液体制御機構を備える光スイッチポンプ部品であって、前記基体はファイバの集合体であることを特徴とする。
【００３０】
請求項１４記載の光スイッチポンプ部品によれば、液体制御機構の光スイッチポンプ部品であって、基体はファイバの集合体であるので、液体試料を大量に吸い上げることができる。
【００３１】
請求項１５記載の光スイッチポンプ部品は、請求項１３又は１４記載の光スイッチポンプ部品において、前記ファイバは、前記コーティング層が外周表面に形成されていることを特徴とする。
【００３２】
請求項１５記載の光スイッチポンプ部品によれば、コーティング層が外周表面に形成されているので、液体試料を容易に吸い上げることができ、もって検体を簡単に採取できる。
【００３３】
請求項１６記載の光スイッチポンプ部品は、請求項１３乃至１５のいずれか１項に記載の光スイッチポンプ部品において、前記ファイバは、中空部を有する中空ファイバであることを特徴とする。
【００３４】
請求項１６記載の光スイッチポンプ部品によれば、ファイバは中空部を有する中空ファイバであるので、毛細管現象を利用することができる。
【００３５】
請求項１７記載の光スイッチポンプ部品は、請求項１６記載の光スイッチポンプ部品において、前記ファイバは、前記中空部の内側面に前記コーティング層が形成されていることを特徴とする。
【００３６】
請求項１７記載の光スイッチポンプ部品によれば、コーティング層が中空部の内側面に形成されているので、液体試料の吸い上げ力を向上させることができ、もって検体を簡単に採取できる。
【００３７】
請求項１８記載の光スイッチポンプ部品は、請求項１乃至１１のいずれか１項に記載の液体制御機構を備える光スイッチポンプ部品であって、前記基体は中空部を有するチューブであることを特徴とする。
【００３８】
請求項１８記載の光スイッチポンプ部品によれば、基体は中空部を有するチューブであるので、毛細管現象を利用することができる。
【００３９】
請求項１９記載の光スイッチポンプ部品は、請求項１８記載の光スイッチポンプ部品において、前記コーティング層は、前記中空部の内側面に形成されていることを特徴とする。
【００４０】
請求項１９記載の光スイッチポンプ部品によれば、コーティング層が中空部の内側面に形成されているので、液体試料の吸い上げ力を向上させることができ、もって検体を簡単に採取できる。
【００４１】
請求項２０記載の光スイッチポンプ部品は、請求項１乃至１１のいずれか１項に記載の液体制御機構を備える光スイッチポンプ部品であって、前記基体はニードルであることを特徴とする。
【００４２】
請求項２０記載の光スイッチポンプ部品によれば、基体はニードルであるので、検体への刺入を容易にすることができる。
【００４３】
請求項２１記載の光スイッチポンプ部品は、請求項２０記載の光スイッチポンプ部品において、前記ニードルは中空部を有する中空ニードルであることを特徴とする。
【００４４】
請求項２１記載の光スイッチポンプ部品によれば、ニードルは中空部を有する中空ニードルであるので、毛細管現象を利用することができる。
【００４５】
請求項２２記載の光スイッチポンプ部品は、請求項２１記載の光スイッチポンプ部品において、前記コーティング層は、前記中空部の内側面に形成されていることを特徴とする。
【００４６】
請求項２２記載の光スイッチポンプ部品によれば、コーティング層が中空部の内側面に形成されているので、液体試料の吸い上げ力を向上させることができ、もって検体を簡単に採取できる。
【００４７】
【発明の実施の形態】
以下、本発明の実施の形態に係る液体制御機構、該液体制御機構を備えた光スイッチバイオセンサ及び光スイッチポンプ部品を図面を参照しながら詳述する。
【００４８】
図１は、本発明の実施の形態に係る流体制御機構の断面図である。
【００４９】
図１において、流体制御機構１は、主として、紫外線を透過し、微細加工が可能な、例えば厚さ５００μｍのガラス（窓材）製の板状チップ２（基体）と、板状チップ２上に形成され、光触媒機能を有する酸化チタンを主成分とする厚さ、好ましくは１０ｎｍ以上、例えば１００ｎｍの光触媒層７と、光触媒層７上に形成され、シリカを主成分とする厚さ、好ましくは１０ｎｍ以上、例えば２０ｎｍの親水維持層８とを備える。光触媒層７と親水維持層８とはコーティング層３を構成する。親水維持層８の上には液体試料４が配置される。流体制御機構１は、さらに、コーティング層３の対向位置において、コーティング層３に紫外線５を照射する紫外線ランプ６（紫外線照射装置）を備える。光触媒層７は、もともと疎水性であるが、紫外線ランプ６により照射された紫外線によって親水化する。なお、光触媒層７及び親水維持層８の厚さは、夫々一定である。
【００５０】
以下、図１の流体制御機構１の原理を説明する。
【００５１】
紫外線ランプ６から出射した紫外線５が親水維持層８の一部（図１の右側）を通過して光触媒層７の一部のみに照射され、光触媒層７のうち紫外線５が照射された部分のみを親水化する。これにより、紫外線照射側（図１の右側）におけるコーティング層３の方が紫外線非照射側（図１の左側）におけるコーティング層３よりも親水性が高くなり、液体試料４は、コーティング層３の親水性がより高い紫外線照射側（図１の右側）へ向かって（図１の矢印方向）展開する。
【００５２】
本実施の形態によれば、親水維持層８が光触媒層７の上に形成され、紫外線ランプ６がコーティング層３の一部のみに紫外線５を照射するので、コーティング層３の表面を親水性に維持できると共に紫外線５の照射光量を変化させることなくコーティング層３の一部をより親水化することができ、もって液体試料４の流れを制御することができると共にコストを低減することができる。
【００５３】
本実施の形態では、光触媒層７及び親水維持層８は、夫々厚さが一定であるが、これに限定されるものではなく、図２に示すように、光触媒層７の厚さが紫外線照射側（図２の右側）に向かって漸増し、親水維持層８の厚さが紫外線照射側（図２の右側）に向かって漸減し、コーティング層３の厚さとしては一定であってもよい。
【００５４】
本実施の形態では、親水維持層８は光触媒層７の上に形成されているが、これに限定されるものではなく、図３や図４に示すように、親水維持層８が板状チップ２上に形成され、光触媒層７のみに紫外線５を照射するものであってもよい。
【００５５】
本実施の形態では、基体がガラス製の板状チップ２であるが、これに限定されるものではなく、例えば、プラスチック（窓材）製又は金属製の板状チップや、光ファイバ、中空ガラスファイバ、金属ファイバ、樹脂ファイバ等のファイバ又はこれらファイバの集合体や、ガラス棒や、チューブや金属ニードル等であってもよい。
【００５６】
本実施の形態における液体試料４は、液体であれば特に限定されないが、例えば、人を含む生体の皮膚、粘膜等の上皮上の液体試料４とすることができ、具体的には、汗、血液、浸出液、間質液、尿等が例示される。測定対象となる液体試料４中の成分は、例えば、グルコース、乳酸、尿酸、コレステロール、コリン、胆汁酸等が挙げられる。
【００５７】
本実施の形態では、光触媒層７が酸化チタンを主成分としているが、これに限定されるものではなく、酸化スズ、酸化タンタル、酸化バナジウム、酸化タングステン等の単体又は複数併用したものを主成分としてもよく、また、金属酸化物でなく、窒化チタン等の金属窒化物、酸窒化チタン等の金属酸窒化物を主成分としてもよい。
【００５８】
本実施の形態では、親水維持層８がシリカを主成分としているが、これに限定されるものではなく、その他の親水性の金属酸化物、例えば、酸化アルミニウム、酸化リン、酸化ボロン等を主成分としてもよく、また、これら以外の他の成分が少量添加されていてもよい。
【００５９】
本実施の形態では、紫外線を照射する手段は紫外線ランプ６であるが、これに限定されるものではなく、例えば、紫外線レーザ、可視光ランプ、可視光レーザ、太陽光等であってもよい。
【００６０】
以下、本発明の実施の形態に係る流体制御機構を備えた光スイッチバイオセンサを図５を参照しながら詳述する。
【００６１】
図５は、図１の流体制御機構１を備えた光スイッチバイオセンサの概略構成図である。
【００６２】
図５において、光スイッチバイオセンサ５１は、主として、紫外線を透過し、微細加工が可能な、例えば厚さ５００μｍのガラス（窓材）製の検査チップ５２（基体）と、検査チップ５２上に形成され、光触媒機能を有する酸化チタンを主成分とする厚さ、好ましくは１０ｎｍ以上、例えば１００ｎｍの光触媒層５７と、光触媒層５７上に形成され、シリカを主成分とする厚さ、好ましくは１０ｎｍ以上、例えば２０ｎｍの親水維持層５８とを備える。光触媒層５７と親水維持層５８とはスパッタ法によって形成され、コーティング層５３を構成する。親水維持層５８の上には液体試料５４が配置される。光スイッチバイオセンサ５１は、さらに、コーティング層５３の対向位置（図５の右側）において、コーティング層５３に紫外線５５を照射する紫外線ランプ５６（紫外線照射装置）を備える。
【００６３】
以下、上記光スイッチバイオセンサ５１の使用方法を説明する。
【００６４】
まず、コーティング層５３における親水維持層５８上に検査対象となる遺伝子含有溶液から成る液体試料５４を滴下し、コーティング層５３の非滴下側（図５の上側）のみに紫外線５５を照射する。
【００６５】
紫外線ランプ５６から出射した紫外線５５が親水維持層５８の一部（図５の上側）を通過して光触媒層５７の一部のみに照射され、光触媒層５７のうち紫外線５５が照射された部分のみを親水化する。これにより、紫外線照射側（図５の上側）におけるコーティング層５３の方が紫外線非照射側（図５の下側）におけるコーティング層５３よりも親水性が高くなり、液体試料５４は、コーティング層５３の親水性がより高い紫外線照射側（図５の上側）へ向かって（図５の矢印方向）に展開し、検査チップ５２一面に延びる。
【００６６】
上記光スイッチバイオセンサ５１によれば、液体試料５４を展開させて延ばすことができ、もって液体試料５４の検査を容易に行うことができる。
【００６７】
なお、上記光スイッチバイオセンサ５１は、コーティング層５３が検査チップ５２の上面に形成されているが、これに限定されるものではなく、図６に示すように、コーティング層５３が検査チップ５２に設けられた溝部６０に形成されていてもよい。
【００６８】
図７は、図１の流体制御機構１を備えた光スイッチポンプ部品の概略構成図である。
【００６９】
図７において、光スイッチポンプ部品７１は、主として、紫外線を透過し、微細加工が可能なガラス（窓材）製の光ファイバ７２（基体）と、光ファイバ７２の外周表面上に形成され、光触媒機能を有する酸化チタンを主成分とする厚さ、好ましくは１０ｎｍ以上、例えば５０ｎｍの光触媒層７７と、光触媒層７７上に形成され、シリカを主成分とする厚さ、好ましくは１０ｎｍ以上、例えば１０ｎｍの親水維持層７８とを備える。光触媒層７７と親水維持層７８とはスパッタ法によって形成され、コーティング層７３を構成する。親水維持層７８の上には液体試料７４が配置される。光スイッチポンプ部品７１は、さらに、コーティング層７３の対向位置（図７の右側）において、コーティング層７３に紫外線７５を照射する紫外線ランプ７６（紫外線照射装置）を備える。
【００７０】
以下、上記光スイッチポンプ部品７１の使用方法を説明する。
【００７１】
まず、光スイッチポンプ部品７１を血液、髄液、リンパ液、組織液、体液等の液体試料７４を含む検体７９に浸漬し、非浸漬側（図７の上側）のみに紫外線７５を照射する。
【００７２】
紫外線ランプ７６から出射した紫外線７５が親水維持層７８の一部（図７の上側）を通過して光触媒層７７の一部のみに照射され、光触媒層７７のうち紫外線が照射された部分のみを親水化する。これにより、紫外線照射側（図７の上側）におけるコーティング層７３の方が紫外線非照射側（図７の下側）におけるコーティング層７３よりも親水性が高くなり、検体７９に含まれた液体試料７４は、コーティング層７３の親水性がより高い紫外線照射側（図７の上側）へ向かって（図７の矢印方向）に吸い上げられる。
【００７３】
上記光スイッチポンプ部品７１によれば、液体試料７４を容易に吸い上げることができ、もって検体を簡単に採取できる。
【００７４】
また、上記光スイッチポンプ部品７１を、検体７９でなく人体の一部に適用すれば、化膿部分の体液や、悪性細胞を含む体液等を部分的に吸引除去できる。
【００７５】
図８は、図７の光スイッチポンプ部品７１の変形例の概略構成図である。
【００７６】
図８において、光スイッチポンプ部品８１は、主として、紫外線を透過し、微細加工が可能なガラス（窓材）製の中空部を有する中空ファイバ８２（基体）と、中空ファイバ８２の中空部の内側面に形成され、光触媒機能を有する酸化チタンを主成分とする厚さ、好ましくは１０ｎｍ以上、例えば５０ｎｍの光触媒層８７と、光触媒層８７上に形成され、シリカを主成分とする厚さ、好ましくは１０ｎｍ以上、例えば１０ｎｍの親水維持層８８とを備える。光触媒層８７と親水維持層８８とはゾルゲル法によって形成され、コーティング層８３を構成する。親水維持層８８の上には液体試料８４が配置される。光スイッチポンプ部品８１は、さらに、コーティング層８３の対向位置（図８の右側）において、コーティング層８３に紫外線８５を照射する紫外線ランプ８６（紫外線照射装置）を備える。
【００７７】
以下、上記光スイッチポンプ部品８１の使用方法を説明する。
【００７８】
まず、光スイッチポンプ部品８１を血液、髄液、リンパ液、組織液、体液等の液体試料８４を含む検体８９に浸漬し、非浸漬側（図８の上側）のみに紫外線８５を照射する。
【００７９】
紫外線ランプ８６から出射した紫外線８５が親水維持層８８の一部（図８の上側）を通過して光触媒層８７の一部のみに照射され、光触媒層８７のうち紫外線が照射された部分のみを親水化する。このことにより、紫外線照射側（図８の上側）におけるコーティング層８３の方が紫外線非照射側（図８の下側）におけるコーティング層８３よりも親水性が高くなり、検体８９に含まれた液体試料８４は、コーティング層８３の親水性がより高い紫外線照射側（図８の上側）へ向かって（図８の矢印方向）中空ファイバ８２の毛細管力を伴って吸い上げられる。
【００８０】
上記光スイッチポンプ部品８１によれば、液体試料８４をさらに容易に吸い上げることができ、もって検体を簡単に採取できる。
【００８１】
また、上記光スイッチポンプ部品８１を、検体８９でなく人体の一部に適用すれば、化膿部分の体液や、悪性細胞を含む体液等を部分的に吸引除去できる。
【００８２】
図５、図６の光スイッチバイオセンサ５１及び図７の光スイッチポンプ部品７１ではコーティング層５３，７３をスパッタ法によって形成し、図８の光スイッチポンプ部品８１ではコーティング層８３をゾルゲル法によって形成したが、形成方法はこれらに限定されるものではなく、例えば、溶液法、スプレー法、ＣＶＤ法、蒸着法等によって形成してもよい。
【００８３】
図５、図６の光スイッチバイオセンサ５１、図７の光スイッチポンプ部品７１、図８の光スイッチポンプ部品８１では、流体制御機構を図１の流体制御機構１のタイプとしているが、これに限定されるものではなく、図２〜図４の流体制御機構１の各タイプに代えてもよい。
【００８４】
また、流体制御機構１を利用できるものとして、図５、図６の光スイッチバイオセンサ５１、図７の光スイッチポンプ部品７１、図８の光スイッチポンプ部品８１を例示したが、これらに限定されるものではなく、流体制御機構１を利用できるものであれば、何であってもよい。
【００８５】
【実施例】
以下、本発明の実施例を説明する。
【００８６】
まず、光スイッチバイオセンサの実施例及び比較例として、表１に示すように、図１の流体制御機構におけるコーティング層を備えた実施例１と、図４の流体制御機構におけるコーティング層を備えた実施例２と、図１の流体制御機構におけるコーティング層を検査チップ５２に設けられた溝部６０に備え、光触媒層の主成分が窒化チタンである実施例３と、コーティング層が光触媒層のみである比較例１と、基板上に何もコーティングされていない比較例２とを作製した。
【００８７】
【表１】
2004125475.tif 000003
【００８８】
上記のようにして作製した光スイッチバイオセンサに検査対象となる遺伝子含有溶液から成る液体試料を滴下し、非滴下部分に紫外線を照射したときの、液体試料の展開の様子を観察した。この観察結果を表１に示す。
【００８９】
表１から、光スイッチバイオセンサは、本発明の流体制御機構を利用すると、液体試料の流れを制御することができると共にコストを低減することができることが分かった。
【００９０】
さらに、光スイッチポンプ部品の実施例及び比較例として、表２に示すように、中空ファイバを基体とし、図１の流体制御機構におけるコーティング層が中空部の内側面に形成された実施例１と、光ファイバを基体とし、図４の流体制御機構におけるコーティング層が外周表面に形成された実施例２と、中空ニードルを基体とし、図１の流体制御機構におけるコーティング層が中空部の内側面に形成された実施例３と、中空ファイバを基体とし、図４の流体制御機構におけるコーティング層が中空部の内側面に形成され、光触媒層の主成分が窒化チタンである実施例４と、光ファイバーを基体とし、コーティング層が光触媒層のみである比較例１と、中空ファイバを基体とし、コーティング層が光触媒層のみである比較例２と、光ファイバから成る基体上に何もコーティングしていない比較例３と、中空ファイバから成る基体上に何もコーティングしていない比較例４とを作製した。
【００９１】
【表２】
2004125475.tif 000004
【００９２】
上記のようにして作製した光スイッチポンプ部品を体液を含んだ検体に浸漬し、非浸漬部分に紫外線を照射したときの、体液の吸引の様子を観察した。この観察結果を表１に示す。
【００９３】
表２から、本発明の流体制御機構を利用すると、体液を容易に吸い上げることができ、もって検体を簡単に採取できることが分かった。
【００９４】
【発明の効果】
以上詳細に説明したように、請求項１記載の液体制御機構によれば、親水維持層が光触媒層の上に形成され、紫外線照射装置がコーティング層の一部のみに紫外線を照射するので、コーティング層の表面を親水性に維持できると共に紫外線照射の光量を変化させることなくコーティング層の一部をより親水化することができ、もって液体試料の流れを制御することができると共にコストを低減することができる。
【００９５】
請求項２記載の液体制御機構によれば、光触媒層及び親水維持層は、夫々一定の厚さであるので、液体制御機構を備える製品を容易に製造することができる。
【００９６】
請求項３記載の液体制御機構によれば、光触媒層の厚さが紫外線の照射側に向かって漸増し、親水維持層の厚さが紫外線の照射側に向かって漸減しているので、請求項１の効果をさらに確実に奏することができる。
【００９７】
請求項４記載の液体制御機構によれば、紫外線照射装置が光触媒層のみに紫外線を照射するので、コーティング層の表面を親水性に維持できると共に紫外線照射の光量を変化させることなく光触媒層のみをより親水化することができ、もって液体試料の流れを制御することができると共にコストを低減することができる。
【００９８】
請求項５記載の液体制御機構によれば、光触媒層及び親水維持層は、夫々一定の厚さであるので、液体制御機構を備える製品を容易に製造することができる。
【００９９】
請求項６記載の液体制御機構によれば、光触媒層の厚さが紫外線の照射側に向かって漸増し、親水維持層の厚さが紫外線の照射側に向かって漸減しているので、請求項１の効果をさらに確実に奏することができる。
【０１００】
請求項７記載の液体制御機構によれば、基体が紫外線を透過する窓材から成るので、紫外線を照射する方向を自由に選択することができる。
【０１０１】
請求項１２記載の光スイッチバイオセンサによれば、液体制御機構の基体は板状チップであるので、液体試料を展開させて延ばすことができ、もって液体試料の検査を容易に行うことができる。
【０１０２】
請求項１３記載の光スイッチポンプ部品によれば、液体制御機構の基体はファイバであるので、液体試料を容易に吸い上げることができ、もって検体を簡単に採取できる。
【０１０３】
請求項１４記載の光スイッチポンプ部品によれば、液体制御機構の光スイッチポンプ部品であって、基体はファイバの集合体であるので、液体試料を大量に吸い上げることができる。
【０１０４】
請求項１５記載の光スイッチポンプ部品によれば、コーティング層が外周表面に形成されているので、液体試料を容易に吸い上げることができ、もって検体を簡単に採取できる。
【０１０５】
請求項１６記載の光スイッチポンプ部品によれば、ファイバは中空部を有する中空ファイバであるので、毛細管現象を利用することができる。
【０１０６】
請求項１７記載の光スイッチポンプ部品によれば、コーティング層が中空部の内側面に形成されているので、液体試料の吸い上げ力を向上させることができ、もって検体を簡単に採取できる。
【０１０７】
請求項１８記載の光スイッチポンプ部品によれば、基体は中空部を有するチューブであるので、毛細管現象を利用することができる。
【０１０８】
請求項１９記載の光スイッチポンプ部品によれば、コーティング層が中空部の内側面に形成されているので、液体試料の吸い上げ力を向上させることができ、もって検体を簡単に採取できる。
【０１０９】
請求項２０記載の光スイッチポンプ部品によれば、基体はニードルであるので、検体への刺入を容易にすることができる。
【０１１０】
請求項２１記載の光スイッチポンプ部品によれば、ニードルは中空部を有する中空ニードルであるので、毛細管現象を利用することができる。
【０１１１】
請求項２２記載の光スイッチポンプ部品によれば、コーティング層が中空部の内側面に形成されているので、液体試料の吸い上げ力を向上させることができ、もって検体を簡単に採取できる。
【図面の簡単な説明】
【図１】本発明の実施の形態に係る流体制御機構の断面図である。
【図２】図１の流体制御機構１の第１の変形例の断面図である。
【図３】図１の流体制御機構１の第２の変形例の断面図である。
【図４】図１の流体制御機構１の第３の変形例の断面図である。
【図５】図１の流体制御機構１を備えた光スイッチバイオセンサの概略構成図である。
【図６】図５の光スイッチバイオセンサ５１の変形例の概略構成図である。
【図７】図１の流体制御機構１を備えた光スイッチポンプ部品の概略構成図である。
【図８】図７の光スイッチポンプ部品７１の変形例の概略構成図である。
【符号の説明】
１　流体制御機構
２　板状チップ
３　コーティング層
４　液体試料
５　紫外線
６　紫外線ランプ
７　光触媒層
８　親水維持層
【図１】
2004125475.tif 000005
【図２】
2004125475.tif 000006
【図３】
2004125475.tif 000007
【図４】
2004125475.tif 000008
【図５】
2004125475.tif 000009
【図６】
2004125475.tif 000010
【図７】
2004125475.tif 000011
【図８】
2004125475.tif 000012